(57)【特許請求の範囲】
【請求項１】
ワイヤレス通信ネットワーク（ＣＮ）におけるユーザ端末（ＵＥ＿Ａ＿Ｓ、ＵＥ＿Ｂ＿Ｓ）に対する異なるオペレータ（ＯＰＡ、ＯＰＢ）の周波数リソース（ＦＡ、ＦＢ）の割り付けのための方法であって、
・  前記異なるオペレータの各オペレータ（ＯＰＡ、ＯＰＢ）の少なくとも１つの周波数リソース（ＦＡ、ＦＢ）の上で、前記各オペレータ（ＯＰＡ、ＯＰＢ）に登録されるユーザ端末（ＵＥ＿Ａ＿Ｓ、ＵＥ＿Ｂ＿Ｓ）が、信号で伝えられたセル（ＣＳ、ＣＳＡ、ＣＳＢ）にアクセスすることを可能にする、前記各オペレータの表示が、ブロードキャスト・チャネル（ＰＢＣＨＡ、ＰＢＣＨＢ）の上で送信され、
・  ユーザ端末（ＵＥ＿Ａ＿Ｓ、ＵＥ＿Ｂ＿Ｓ）は、前記ユーザ端末（ＵＥ＿Ａ＿Ｓ、ＵＥ＿Ｂ＿Ｓ）が登録されるオペレータ（ＯＰＡ、ＯＰＢ）の周波数リソース（ＦＡ、ＦＢ）の上だけで制御情報を受信し、
・  前記制御情報が、前記ユーザ端末（ＵＥ＿Ａ＿Ｓ、ＵＥ＿Ｂ＿Ｓ）が登録されていないオペレータ（ＯＰＡ、ＯＰＢ）の前記周波数リソースのうちの少なくとも１つの周波数リソース（ＦＡ、ＦＢ）を前記ユーザ端末（ＵＥ＿Ａ＿Ｓ、ＵＥ＿Ｂ＿Ｓ）に対して割り付けるインジケータ（ＣＩＦＡ、ＣＩＦＢ）を含んでいる、方法。
【請求項２】
前記異なるオペレータの少なくとも２つのオペレータ（ＯＰＡ、ＯＰＢ）についての共通のスケジューラは、前記少なくとも２つのオペレータ（ＯＰＡ、ＯＰＢ）の前記周波数リソース（ＦＡ、ＦＢ）の前記割り付けのために使用される、請求項１に記載の方法。
【請求項３】
前記ユーザ端末（ＵＥ＿Ａ＿Ｓ、ＵＥ＿Ｂ＿Ｓ）に対する前記異なるオペレータ（ＯＰＡ、ＯＰＢ）の前記周波数リソース（ＦＡ、ＦＢ）の前記割り付けは、前記異なるオペレータ（ＯＰＡ、ＯＰＢ）の間で共有されるスモール・セル（ＣＳ、ＣＳＡ、ＣＳＢ）の中で実行される、請求項１または２に記載の方法。
【請求項４】
前記異なるオペレータ（ＯＰＡ、ＯＰＢ）のおのおのは、専用のセル識別子と、専用のブロードキャスト・チャネル（ＰＢＣＨＡ、ＰＢＣＨＢ）とのグループのうちの少なくとも１つを使用する、請求項１乃至３のいずれか１項に記載の方法。
【請求項５】
前記ユーザ端末（ＵＥ＿Ａ＿Ｓ、ＵＥ＿Ｂ＿Ｓ）が、登録されていないオペレータ（ＯＰＡ、ＯＰＢ）の前記周波数リソースのうちの少なくとも１つの周波数リソース（ＦＡ、ＦＢ）を前記ユーザ端末（ＵＥ＿Ａ＿Ｓ、ＵＥ＿Ｂ＿Ｓ）に対して割り付ける前記インジケータ（ＣＩＦＡ、ＣＩＦＢ）は、制御チャネル（ＰＤＣＣＨＡ、ＰＤＣＣＨＢ）のキャリア・インジケータ・フィールドに含まれる、請求項１乃至４のいずれか１項に記載の方法。
【請求項６】
前記異なるオペレータのうちの１つのオペレータ（ＯＰＡ、ＯＰＢ）の少なくとも１つの周波数リソース（ＦＡ、ＦＢ）は、前記オペレータについての一次成分キャリアとして使用され、また前記異なるオペレータのうちの少なくとも１つのさらなるオペレータ（ＯＰＡ、ＯＰＢ）の少なくとも１つの周波数リソース（ＦＡ、ＦＢ）は、二次成分キャリアとして使用される、請求項１乃至５のいずれか１項に記載の方法。
【請求項７】
ユーザ端末（ＵＥ＿Ａ＿ＭＡ、ＵＥ＿Ｂ＿ＭＢ）は、前記ユーザ端末（ＵＥ＿Ａ＿ＭＡ、ＵＥ＿Ｂ＿ＭＢ）が登録される前記オペレータ（ＯＰＡ、ＯＰＢ）の周波数リソース（ＦＡ、ＦＢ）の上だけで前記スモール・セル（ＣＳ、ＣＳＡ、ＣＳＢ）に対するハンドオーバを実行するためのハンドオーバ測定を実行する、請求項３に記載の方法。
【請求項８】
ユーザ端末（ＵＥ＿Ａ＿Ｓ、ＵＥ＿Ｂ＿Ｓ）に対する異なるオペレータ（ＯＰＡ、ＯＰＢ）の周波数リソース（ＦＡ、ＦＢ）の割り付けのための基地局（Ｓ）であって、
・  前記異なるオペレータのうちの各オペレータ（ＯＰＡ、ＯＰＢ）の少なくとも１つの周波数リソース（ＦＡ、ＦＢ）の上のブロードキャスト・チャネル（ＰＢＣＨＡ、ＰＢＣＨＢ）の上で、前記各オペレータ（ＯＰＡ、ＯＰＢ）に登録されるユーザ端末（ＵＥ＿Ａ＿Ｓ、ＵＥ＿Ｂ＿Ｓ）が、信号で伝えられたセル（ＣＳ、ＣＳＡ、ＣＳＢ）にアクセスすることを可能にする前記各オペレータ（ＯＰＡ、ＯＰＢ）の表示を送信し、
・  前記ユーザ端末（ＵＥ＿Ａ＿Ｓ、ＵＥ＿Ｂ＿Ｓ）が登録されるオペレータ（ＯＰＡ、ＯＰＢ）の周波数リソース（ＦＡ、ＦＢ）だけの上でユーザ端末（ＵＥ＿Ａ＿Ｓ、ＵＥ＿Ｂ＿Ｓ）に対して、前記ユーザ端末（ＵＥ＿Ａ＿Ｓ、ＵＥ＿Ｂ＿Ｓ）が登録されていないオペレータ（ＯＰＡ、ＯＰＢ）の前記周波数リソースのうちの少なくとも１つの周波数リソース（ＦＡ、ＦＢ）を前記ユーザ端末（ＵＥ＿Ａ＿Ｓ、ＵＥ＿Ｂ＿Ｓ）に対して割り付けるインジケータ（ＣＩＦＡ、ＣＩＦＢ）を含む制御情報を送信するように、
適合される基地局（Ｓ）。
【請求項９】
異なるオペレータ（ＯＰＡ、ＯＰＢ）の周波数リソース（ＦＡ、ＦＢ）が割り付けられ得るユーザ端末（ＵＥ＿Ａ＿Ｓ、ＵＥ＿Ｂ＿Ｓ）であって、
・  前記ユーザ端末（ＵＥ＿Ａ＿Ｓ、ＵＥ＿Ｂ＿Ｓ）が登録される前記異なるオペレータの各オペレータ（ＯＰＡ、ＯＰＢ）の少なくとも１つの周波数リソース（ＦＡ、ＦＢ）の上で、前記ユーザ端末（ＵＥ＿Ａ＿Ｓ、ＵＥ＿Ｂ＿Ｓ）が、信号で伝えられたセル（ＣＳ、ＣＳＡ、ＣＳＢ）にアクセスすることを可能にする、ブロードキャスト・チャネル（ＰＢＣＨＡ、ＰＢＣＨＢ）の上の前記各オペレータ（ＯＰＡ、ＯＰＢ）の表示を受信し、
・  前記ユーザ端末（ＵＥ＿Ａ＿Ｓ、ＵＥ＿Ｂ＿Ｓ）が登録されるオペレータ（ＯＰＡ、ＯＰＢ）の周波数リソース（ＦＡ、ＦＢ）の上だけで、前記ユーザ端末（ＵＥ＿Ａ＿Ｓ、ＵＥ＿Ｂ＿Ｓ）が登録されていないオペレータ（ＯＰＡ、ＯＰＢ）の前記周波数リソースのうちの少なくとも１つの周波数リソース（ＦＡ、ＦＢ）を前記ユーザ端末（ＵＥ＿Ａ＿Ｓ、ＵＥ＿Ｂ＿Ｓ）に対して割り付けるインジケータ（ＣＩＦＡ、ＣＩＦＢ）を含む制御情報を受信するように
適合されるユーザ端末（ＵＥ＿Ａ＿Ｓ、ＵＥ＿Ｂ＿Ｓ）。
【請求項１０】
請求項８に記載の少なくとも１つの基地局（Ｓ）を備えている、モバイル通信のための通信ネットワーク（ＣＮ）。
【発明の詳細な説明】
【技術分野】
【０００１】
本発明は、ワイヤレス通信ネットワークにおけるユーザ端末に対する異なるオペレータの周波数リソースの割り付けのための方法と、前記方法を実行するように適合された基地局およびユーザ端末とに関する。
【背景技術】
【０００２】
無線アクセス・ネットワーク（ＲＡＮ：Ｒａｄｉｏ  Ａｃｃｅｓｓ  Ｎｅｔｗｏｒｋ）の共有により、ワイヤレス・ネットワーク・オペレータは、例えば、ワイヤレス・ネットワーク・オペレータの間のような、異なるエンティティの間でリソースを共有し、またそれによってそれらの展開コストを低減させることができるようになる。第３世代パートナーシップ・プロジェクト・ロング・ターム・エボリューション（３ＧＰＰ  ＬＴＥ：Ｔｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）規格によれば、複数のオペレータによるＲＡＮの共有が、例えば、３ＧＰＰ技術報告ＴＲ３６．３００、チャプター１０．１．７において説明されるように、サポートされる。ＬＴＥにおけるＲＡＮの共有を可能にするために、各セルは、各オペレータのいわゆる公衆陸上モバイル・ネットワーク識別子（ＰＬＭＮ  ＩＤ：Ｐｕｂｌｉｃ  Ｌａｎｄ  Ｍｏｂｉｌｅ  Ｎｅｔｗｏｒｋ  ｉｄｅｎｔｉｆｉｅｒ）をブロードキャストし、それによっていわゆるトラッキング・エリアの中で組み合わされるすべてのセルについてのＰＬＭＮ  ＩＤは、例えば、３ＧＰＰ技術仕様ＴＳ２３．２５１、チャプター４．２．２において説明されるものと同じである。ＲＡＮの共有は、Ｅ−ＵＴＲＡＮノード（Ｅ−ＵＴＲＡＮ＝進化型ユニバーサル・テレコミュニケーション・システム地上波無線アクセス・ネットワーク（Ｅｖｏｌｖｅｄ  Ｕｎｉｖｅｒｓａｌ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ））、すなわち、いわゆる進化型ノードＢ（ｅＮＢ）と、例えば、モビリティ管理エンティティ（ＭＭＥ：ｍｏｂｉｌｉｔｙ  ｍａｎａｇｅｍｅｎｔ  ｅｎｔｉｔｙ）のような進化型パケット・コア（ＥＰＣ：Ｅｖｏｌｖｅｄ  Ｐａｃｋｅｔ  Ｃｏｒｅ）ノードとの間の多対多の関係に基づいており、これは、例えば、３ＧＰＰ技術報告ＴＲ２３．８８２、チャプター７．１６．３の中で説明されるようないわゆるＳ１−フレックス概念によって実現される。ネットワークに対する接続中に、同じ共有されたｅＮＢによってサービスされる、異なるオペレータのユーザ端末は、異なるＭＭＥに割り当てられる。
【先行技術文献】
【非特許文献】
【０００３】
【非特許文献１】３ＧＰＰ技術報告ＴＲ３６．３００、チャプター１０．１．７
【非特許文献２】３ＧＰＰ技術仕様ＴＳ２３．２５１、チャプター４．２．２
【非特許文献３】３ＧＰＰ技術報告ＴＲ２３．８８２、チャプター７．１６．３
【発明の概要】
【発明が解決しようとする課題】
【０００４】
リソースの共有は、３つの分野、すなわち、ハード・リソースの共有と、ソフト・リソースの共有と、それら両方の組合せとに広く、分類される可能性がある。第１のカテゴリは、例えば、エンティティの間の基地局、および／またはバックホール・ネットワーク、および／またはコア・ネットワークの共有としてのモバイル・ネットワーク・インフラストラクチャの共有のことを意味している。第２のカテゴリ、ソフト・リソースは、例えば、ホワイト・スペースのようなライセンスされ、かつ／またはライセンスされていない周波数スペクトルの共有のことを意味している。第３のカテゴリは、ハード・リソースと、ソフト・リソースとの両方を共有することができ、またリソースの共通の制御／管理を有することもできる。例えば、共有された無線アクセス・ネットワークは、例えば帯域幅のようなソフト無線リソースと、例えば、基地局のような無線ハードウェアと、またスケジューラのような機能ソフトウェア・モジュールとの共有を提供することになる。両方のリソース・タイプの組み合わされた共有は、進化型ＭＡＣレイヤ・プロシージャ（ＭＡＣ＝媒体アクセス制御（Ｍｅｄｉｕｍ  Ａｃｃｅｓｓ  Ｃｏｎｔｒｏｌ））と、ＲＲＭプロシージャ（ＲＲＭ＝無線リソース管理（Ｒａｄｉｏ  Ｒｅｓｏｕｒｃｅ  Ｍａｎａｇｅｍｅｎｔ））との助けを用いて可能である。
【０００５】
リソースの組み合わされた共有は、例えば、いわゆる異機種ネットワーク（ＨｅｔＮｅｔ）において実現される可能性がある。例えば、３ＧＰＰ  ＬＴＥ規格のような規格を使用した異機種ネットワーク（ＨｅｔＮｅｔ）シナリオにおいては、それらのスモール・セルを有するいわゆるピコ基地局が、いわゆるマクロ基地局のカバレッジの下に配置される。ピコ基地局は、一般的に、その低電力に起因して、例えば、建物、列車の駅、または航空機の中の小さなエリアを対象として含むのに対して、マクロ基地局は、例えば、屋外エリアのような、ピコ基地局よりも大きなエリアを対象として含んでいる。ピコ基地局は、ある種のホットスポットに対して追加の容量を提供することにより、ワイヤレス・セルラー方式ネットワークの高密度化を可能にする。
【０００６】
ＨｅｔＮｅｔシナリオにおいては、オペレータは、ある種のホットスポットにおいて、例えば、コーヒー・ショップにおいて、スモール・セルを展開して、そのマクロ・レイヤからトラフィックをオフロードすることができる。このホットスポットの特性に応じて、異なるオペレータは、それらのスモール・セルを共有することから利益を得ることができ、またそれによってＣＡＰＥＸと、ＯＰＥＸとを低減させている。
【０００７】
リソースの共有のための可能なシナリオは、サード・パーティが、例えば、ショッピング・モール、空港、地下駐車場、または映画館が、マクロ・セルのカバレッジ・エリアの中にそれ自体のスモール・セルを展開することとすることができ、また異なるオペレータは、サード・パーティのスモール・セルのリソースを使用して、彼ら自身のスモール・セルを構築して、スモール・セルのカバレッジ・エリアにおいて彼らのユーザにサービスするサービスを行うことができる。
【０００８】
以下では、オーバーラップしたカバレッジ・エリア、または等しいカバレッジ・エリアを有する２つのスモール・セルを有する２つのオペレータの間のリソースの共有のための２つの最先端の問題解決手法が、説明される。
【０００９】
オペレータＯＰＡが、周波数帯域ＦＡにおける周波数キャリアを使用しているものと仮定する。同様に、他のオペレータＯＰＢは、周波数帯域ＦＢにおける周波数キャリアを使用している。
【００１０】
別個のスケジューラを有する最先端の問題解決手法：このシナリオにおいては、両方の周波数帯域ＦＡおよびＦＢが、オペレータＯＰＡまたはオペレータＯＰＢに対する加入を伴うユーザ端末のアクセスを可能にしているので、両方のスモール・セルのブロードキャスト制御チャネル（ＢＣＣＨ：Ｂｒｏａｄｃａｓｔ  Ｃｏｎｔｒｏｌ  Ｃｈａｎｎｅｌ）の内部に、２つのオペレータＩＤが、含まれるので、ある種の国内ローミングを可能にする２つのオペレータＯＰＡおよびＯＰＢのスモール・セルの中に２つの別個のスケジューラが、存在している。この問題解決手法は、いわゆるリソース・プーリング（ｒｅｓｏｕｒｃｅ  ｐｏｏｌｉｎｇ）が、スモール・セルにおいて使用されていないので、効率的な無線リソース管理に関して十分ではない。
【００１１】
１つのスケジューラと、キャリアアグリゲーションとを有する最先端の問題解決手法：この場合には、オペレータＯＰＡと、ＯＰＢとは、完全な無線アクセス・ネットワークを共有する。いわゆるキャリアアグリゲーションの助けを用いて、２つのキャリア、すなわち、周波数帯域ＦＡと、ＦＢとは、スモール・セル・カバレッジ・エリアにおいて組み合わされて、集約された周波数リソースを使用して、オペレータＯＰＡと、ＯＰＢとの両方のユーザ端末にサービスすることができる。この目的のために、一方のキャリアだけが、いわゆる一次成分キャリア（ＰＣＣ：ｐｒｉｍａｒｙ  ｃｏｍｐｏｎｅｎｔ  ｃａｒｒｉｅｒ）として割り当てられる可能性があり、また他方は、いわゆる二次成分キャリア（ＳＣＣ：ｓｅｃｏｎｄａｒｙ  ｃｏｍｐｏｎｅｎｔ  ｃａｒｒｉｅｒ）として使用される可能性がある。クロス・キャリア・スケジューリングの助けを用いて、ＰＣＣの上のＢＣＣＨだけを有する共通スケジューラは、完全なスペクトルを利用し、またオペレータＯＰＡと、ＯＰＢとの両方のユーザ端末に対してリソースを割り付ける。この問題解決手法は、もしかすると、効率的な無線リソース管理に関して十分である。しかしながら、この問題解決手法は、オペレータＯＰＡと、ＯＰＢとの間の公平さを保証していない。オペレータＯＰＡからのキャリアが、ＰＣＣとして取られ、またオペレータＯＰＢからのキャリアが、ＳＣＣとしてサービスするものとする。この場合には、オペレータＯＰＡのマクロ・セルのユーザ端末のスモール・セルに対するハンドオーバは、ブロードキャスト・チャネルと、制御チャネルとが、スモール・セルにおいて、オペレータＯＰＡのキャリアの上で送信されるので、周波数内ハンドオーバとなるであろう。他方では、オペレータＯＰＢのマクロ・セルのユーザ端末のスモール・セルに対するハンドオーバは、周波数間ハンドオーバとなるであろう。それゆえに、オペレータＯＰＢは、周波数間測定のためにそのユーザ端末を構成することにより、リソースの共有についての高いコストを負担する必要があり、すなわち、測定ギャップが、他方のオペレータＯＰＡの周波数帯域ＦＡの測定のために必要とされる。
【００１２】
本発明の目的は、このようにして、共通の周波数リソースの良好で、柔軟な使用を伴うオペレータの間のリソースの共有のための方法を提案することであり、また同時に両方のオペレータの間の公平さを維持することである。
【課題を解決するための手段】
【００１３】
本発明の実施形態の基本的なアイデアは、好ましくは１つのハードウェア・プラットフォームによる、例えば、ＬＴＥのピコ基地局またはマクロ基地局による強化されたキャリアアグリゲーション原理に基づいて、少なくとも２つの異なるオペレータからユーザ端末にサービスすることである。ハードウェア・プラットフォームは、少なくとも２つのオペレータ特有の周波数帯域の上で、例えば、いわゆる物理ブロードキャスト・チャネル（ＰＢＣＨ：Ｐｈｙｓｉｃａｌ  Ｂｒｏａｄｃａｓｔ  Ｃｈａｎｎｅｌ）と、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）とのような少なくとも２つのブロードキャスト・チャネルと、制御チャネルとを送信し、また少なくとも２つの周波数帯域の上でそれらのオペレータの加入とは独立して、すべてのユーザ端末のスケジューリングを可能にする。
【００１４】
好ましい一実施形態においては、２つの異なるオペレータでは、２つのＰＣＣが、使用され、すなわち、スモール・セル・カバレッジ・エリアにおける各オペレータについてのＰＣＣと、２つの異なるセルＩＤを有する共通のハードウェアと、２つのオペレータについての２つのＰＢＣＨとが、使用される。キャリアアグリゲーションと、クロス・キャリア・スケジューリングとを使用して、共通のスモール・セル・スケジューラは、２つのオペレータのユーザ端末にサービスすることになる。この方法を用いて、２つのオペレータのスモール・セルは、リソース・プーリングを、すなわち、より広いスペクトル利得を利用し、また同時に、両方のオペレータの間の公平さを維持する。各オペレータについての各キャリアの上のＰＣＣに起因して、いずれかのオペレータからのマクロ・セルにおけるユーザ端末は、周波数内測定と、周波数内ハンドオーバとを簡単に実行することになる。このようにして、両方のオペレータは、より広いスペクトルからの恩恵を受けることになり、また両方は、無線リソース制御（ＲＲＣ：Ｒａｄｉｏ  Ｒｅｓｏｕｒｃｅ  Ｃｏｎｔｒｏｌ）レイヤの上の低減された再構成からの恩恵を受けることになる。
【００１５】
本目的は、それゆえに、ワイヤレス通信ネットワークにおけるユーザ端末に対する異なるオペレータの周波数リソースの割り付けのための方法によって、達成され、そこでは、
・  前記異なるオペレータの各オペレータの少なくとも１つの周波数リソースの上で、前記オペレータに登録されるユーザ端末が、信号で伝えられたセルにアクセスすることを可能にする、前記オペレータの表示が、ブロードキャスト・チャネルの上で送信され、
・  ユーザ端末は、それらが登録されるオペレータの周波数リソースの上だけで制御情報を受信し、
・  また前記制御情報は、ユーザ端末が登録されていないオペレータの前記周波数リソースのうちの少なくとも１つの周波数リソースをユーザ端末に対して割り付けるインジケータを含んでいる。
【００１６】
本発明の目的は、さらに、ユーザ端末に対する異なるオペレータの周波数リソースの割り付けのための基地局によって達成され、そこでは、前記基地局は、
・  前記異なるオペレータのうちの各オペレータの少なくとも１つの周波数リソースの上のブロードキャスト・チャネルの上で、前記オペレータに登録されるユーザ端末が、信号で伝えられたセルにアクセスすることを可能にする前記オペレータの表示を送信し、
・  また前記ユーザ端末が登録されるオペレータの周波数リソースだけの上でユーザ端末に対して、ユーザ端末が登録されていないオペレータの前記周波数リソースのうちの少なくとも１つの周波数リソースをユーザ端末に対して割り付けるインジケータを含む制御情報を送信するように、
適合されている。
【００１７】
本発明の目的は、さらに、異なるオペレータの周波数リソースが割り付けられ得るユーザ端末によって達成され、そこでは、前記ユーザ端末は、
・  前記ユーザ端末が登録される前記異なるオペレータのうちの１つのオペレータの少なくとも１つの周波数リソースの上で、ユーザ端末が、信号で伝えられたセルにアクセスすることを可能にする、ブロードキャスト・チャネルの上の前記オペレータの表示を受信し、
・  またユーザ端末が登録されるオペレータの周波数リソースの上だけで、ユーザ端末が登録されていないオペレータの前記周波数リソースのうちの少なくとも１つの周波数リソースをユーザ端末に対して割り付けるインジケータを含む制御情報を受信するように
適合されている。
【００１８】
本発明は、以下で、３ＧＰＰ  ＬＴＥの枠内で説明されるが、しかしながら、本発明は３ＧＰＰ  ＬＴＥには限定されず、原理的には、例えば、ＷｉＭＡＸネットワーク（ＷｉＭＡＸ＝マイクロ波アクセスのためのワールドワイド・インターオペラビリティ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））におけるような、ユーザ端末に対する異なるオペレータの周波数リソースの割り付けのための方法を適用することができる他のネットワークにおいても適用される可能性があるので、以下では、ＬＴＥにおいて使用される用語であるｅノードＢ（ｅＮｏｄｅＢ）の代わりに、より一般的な用語である基地局が使用される。
【００１９】
本発明のさらなる発展形態は、従属請求項と、以下の説明とから収集される可能性がある。
【００２０】
以下では、本発明は、添付図面を参照して、さらに説明されるであろう。
【図面の簡単な説明】
【００２１】
【図１】本発明が実施され得る通信ネットワークを概略的に示す図である。
【図２】本発明が実施され得るユーザ端末と基地局との構造を概略的に示す図である。
【図３】別個のスケジューラを有する２つのオペレータのための最先端のリソースの共有を概略的に示す図である。
【図４】１つのスケジューラと、キャリアアグリゲーションとを有する２つのオペレータのための最先端のリソースの共有を概略的に示す図である。
【図５】本発明の一実施形態による、１つのスケジューラと、キャリアアグリゲーションと、別個のブロードキャスト・チャネルと、制御チャネルとを有する２つのオペレータについてのリソースの共有を概略的に示す図である。
【発明を実施するための形態】
【００２２】
図１は、本発明が実施され得る通信ネットワークの一例として、規格３ＧＰＰ  ＬＴＥによる通信ネットワークＣＮを示すものである。
【００２３】
前記通信ネットワークＣＮは、第１のオペレータＡのマクロ基地局ＭＡと、第２のオペレータＢのマクロ基地局ＭＢと、ピコ基地局Ｓと、第１のオペレータＡに登録され、また第１のオペレータＡのマクロ基地局ＭＡによってサービスされるユーザ端末ＵＥ＿Ａ＿ＭＡと、第２のオペレータＢに登録され、また第２のオペレータＢのマクロ基地局ＭＢによってサービスされるユーザ端末ＵＥ＿Ｂ＿ＭＢと、第１のオペレータＡに登録され、またピコ基地局Ｓによってサービスされるユーザ端末ＵＥ＿Ａ＿Ｓと、第２のオペレータＢに登録され、またピコ基地局Ｓによってサービスされるユーザ端末ＵＥ＿Ｂ＿Ｓと、第１のオペレータＡおよび第２のオペレータＢのそれぞれサービング・ゲートウェイＳＧＷＡおよびＳＧＷＢと、第１のオペレータＡおよび第２のオペレータＢのそれぞれパケット・データ・ネットワーク・ゲートウェイＰＤＮＧＷＡおよびＰＤＮＧＷＢと、第１のオペレータＡおよび第２のオペレータＢのそれぞれモビリティ管理エンティティＭＭＥＡおよびＭＭＥＢとを備えている。
【００２４】
ユーザ端末ＵＥ＿Ａ＿ＭＡは、無線接続を経由して、マクロ基地局ＭＡに接続され、ユーザ端末ＵＥ＿Ａ＿ＳおよびＵＥ＿Ｂ＿Ｓは、無線接続を経由して、ピコ基地局Ｓに接続され、またユーザ端末ＵＥ＿Ｂ＿ＭＢは、無線接続を経由して、マクロ基地局ＭＢに接続される。ＬＴＥの将来の進化においては、ユーザ端末ＵＥ＿Ａ＿ＭＡと、ＵＥ＿Ｂ＿ＭＢと、ＵＥ＿Ａ＿ＰＢと、ＵＥ＿Ｂ＿ＰＢとのおのおのは、無線接続を経由して、複数のマクロ基地局および／またはピコ基地局に接続される可能性もある。マクロ基地局ＭＡは、いわゆるＳ１インターフェースを経由して、順に、サービング・ゲートウェイＳＧＷＡに、またモビリティ管理エンティティＭＭＥＡに、すなわちオペレータＡの進化型パケット・コア（ＥＰＣ）に接続される。同じやり方で、マクロ基地局ＭＢは、Ｓ１インターフェースを経由して、サービング・ゲートウェイＳＧＷＢに、またモビリティ管理エンティティＭＭＥＢに、すなわちオペレータＢの進化型パケット・コア（ＥＰＣ）に接続される。ピコ基地局Ｓは、オペレータＡのサービング・ゲートウェイＳＧＷＡと、モビリティ管理エンティティＭＭＥＡとの両方に、またオペレータＢのサービング・ゲートウェイＳＧＷＢと、モビリティ管理エンティティＭＭＥＢとの両方に接続される。
【００２５】
サービング・ゲートウェイＳＧＷＡは、パケット・データ・ネットワーク・ゲートウェイＰＤＮＧＷＡに接続され、このパケット・データ・ネットワーク・ゲートウェイＰＤＮＧＷＡは、次には外部ＩＰネットワークＩＰＮに接続され、またサービング・ゲートウェイＳＧＷＢは、パケット・データ・ネットワーク・ゲートウェイＰＤＮＧＷＢに接続され、このパケット・データ・ネットワーク・ゲートウェイＰＤＮＧＷＢは、次には外部ＩＰネットワークＩＰＮに接続される。さらに、サービング・ゲートウェイＳＧＷＡは、いわゆるＳ１１インターフェースを経由して、モビリティ管理エンティティＭＭＥＡに接続され、またサービング・ゲートウェイＳＧＷＢは、やはりいわゆるＳ１１インターフェースを経由して、モビリティ管理エンティティＭＭＥＢに接続される。
【００２６】
マクロ基地局ＭＡおよびＭＢは、いわゆるＸ２インターフェースを経由して、ピコ基地局Ｓに接続され、このＸ２インターフェースは、簡単にするために図１の中に示されてはいない。マクロ基地局ＭＡおよびＭＢは、無線接続を経由して、または固定回線接続を経由して、ピコ基地局Ｓに接続される可能性がある。
【００２７】
Ｓ１インターフェースは、基地局、すなわち、この例におけるｅノードＢと、進化型パケット・コア（ＥＰＣ）との間の標準化されたインターフェースである。Ｓ１インターフェースは、２つのフレーバーを、すなわち基地局ＭＡ、ＭＢ、およびＳのうちの１つと、それぞれのモビリティ管理エンティティＭＭＥＡまたはＭＭＥＢとの間の信号メッセージの交換のためのＳ１−ＭＭＥ、ならびに基地局ＭＡ、ＭＢ、およびＳのうちの１つと、それぞれのサービング・ゲートウェイＳＧＷＡおよびＳＧＷＢとの間のユーザ・データグラムの移送のためのＳ１−Ｕを有する。
【００２８】
Ｘ２インターフェースは、３ＧＰＰ  ＬＴＥ規格において、主としてハンドオーバ中にユーザ・プレーン信号と、制御プレーン信号とを転送するために、加えられる。
【００２９】
サービング・ゲートウェイＳＧＷＡおよびＳＧＷＢは、それぞれの基地局ＭＡ、ＭＢ、またはＳと、それぞれのパケット・データ・ネットワーク・ゲートウェイＰＤＮＧＷＡまたはＰＤＮＧＷＢとの間のＩＰユーザ・データのルーティングを実行する。さらに、サービング・ゲートウェイＳＧＷＡおよびＳＧＷＢは、異なる基地局の間、または異なる３ＧＰＰアクセス・ネットワークの間のいずれかのハンドオーバ中にモバイル・アンカー・ポイントとしての機能を果たす。
【００３０】
パケット・データ・ネットワーク・ゲートウェイＰＤＮＧＷＡおよびＰＤＮＧＷＢは、外部ＩＰネットワークＩＰＮに対するインターフェースを表しており、またユーザ端末ＵＥ＿Ａ＿ＭＡ、ＵＥ＿Ｂ＿ＭＢ、ＵＥ＿Ａ＿ＳまたはＵＥ＿Ｂ＿Ｓと、それぞれのサービング・マクロ基地局ＭＡもしくはＭＢまたはピコ基地局Ｓとの間に確立されるいわゆるＥＰＳベアラ（ＥＰＳ＝進化型パケット・システム（Ｅｖｏｌｖｅｄ  Ｐａｃｋｅｔ  Ｓｙｓｔｅｍ））を終了させる。
【００３１】
モビリティ管理エンティティＭＭＥＡおよびＭＭＥＢは、加入者管理と、セッション管理とについてのタスクを実行し、またさらに異なるアクセス・ネットワークの間のハンドオーバ中にモビリティ管理も実行する。
【００３２】
ピコ・セルのピコ基地局Ｓと、関連したカバレッジ・エリアＣＳとは、マクロ基地局ＭＡのカバレッジ・エリアＣＭＡの下に、またマクロ基地局ＭＢのカバレッジ・エリアＣＭＢの下に配置される。
【００３３】
図２は、本発明が、実施され得るユーザ端末ＵＥと、基地局ＢＳとの構造を概略的に示すものである。
【００３４】
基地局ＢＳは、例として、３つのモデム・ユニット・ボードＭＵ１〜ＭＵ３と、制御ユニット・ボードＣＵ１とを備えており、この制御ユニット・ボードＣＵ１は、今度は、媒体依存アダプタＭＤＡを備えている。
【００３５】
３つのモデム・ユニット・ボードＭＵ１〜ＭＵ３は、いわゆる共通の公衆無線インターフェース（ＣＰＲＩ：Ｃｏｍｍｏｎ  Ｐｕｂｌｉｃ  Ｒａｄｉｏ  Ｉｎｔｅｒｆａｃｅ）を経由して、制御ユニット・ボードＣＵ１に、またそれぞれのリモート無線ヘッドＲＲＨ１、ＲＲＨ２、またはＲＲＨ３に接続される。
【００３６】
リモート無線ヘッドＲＲＨ１、ＲＲＨ２、およびＲＲＨ３のおのおのは、無線インターフェースを経由して、例として、データの送信および受信のための２つのリモート無線ヘッド・アンテナＲＲＨＡ１およびＲＲＨＡ２に接続される。前記２つのリモート無線ヘッド・アンテナＲＲＨＡ１およびＲＲＨＡ２は、簡単にするために、図２の中にはリモート無線ヘッドＲＲＨ１について示されているだけである。
【００３７】
媒体依存アダプタＭＤＡは、モビリティ管理エンティティＭＭＥに、またサービング・ゲートウェイＳＧＷと、このようにしてパケット・データ・ネットワーク・ゲートウェイＰＤＮＧＷとに接続され、このパケット・データ・ネットワーク・ゲートウェイＰＤＮＧＷは、次には外部ＩＰネットワークＩＰＮに接続される。
【００３８】
ユーザ端末ＵＥは、例として、２つのユーザ端末アンテナＵＥＡ１およびＵＥＡ２と、モデム・ユニット・ボードＭＵ４と、制御ユニット・ボードＣＵ２と、インターフェースＩＮＴとを備えている。
【００３９】
２つのユーザ端末アンテナＵＥＡ１およびＵＥＡ２は、モデム・ユニット・ボードＭＵ４に接続される。モデム・ユニット・ボードＭＵ４は、制御ユニット・ボードＣＵ２に接続され、この制御ユニット・ボードＣＵ２は、次には、インターフェースＩＮＴに接続される。
【００４０】
モデム・ユニット・ボードＭＵ１〜ＭＵ４と、制御ユニット・ボードＣＵ１、ＣＵ２とは、以下で説明されるタスクを実行することを可能にするために、例として、フィールド・プログラマブル・ゲート・アレイ（ＦＰＧＡ：Ｆｉｅｌｄ  Ｐｒｏｇｒａｍｍａｂｌｅ  Ｇａｔｅ  Ａｒｒａｙｓ）と、デジタル信号プロセッサ（ＤＳＰ：Ｄｉｇｉｔａｌ  Ｓｉｇｎａｌ  Ｐｒｏｃｅｓｓｏｒｓ）と、マイクロ・プロセッサと、スイッチと、例えば、ダブル・データ・レート・シンクロナス・ダイナミック・ランダム・アクセス・メモリ（ＤＤＲ−ＳＤＲＡＭ：Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｉｅｓ）のようなメモリとを備えていることができる。
【００４１】
リモート無線ヘッドＲＲＨ１、ＲＲＨ２、およびＲＲＨ３は、デルタ・シグマ変調器（ＤＳＭ：ｄｅｌｔａ−ｓｉｇｍａ  ｍｏｄｕｌａｔｏｒｓ）と、スイッチ・モード増幅器とのような、いわゆる無線機器を、例えば、変調器と、増幅器とを備えている。
【００４２】
ダウンリンクにおいては、外部ＩＰネットワークＩＰＮから受信されるＩＰデータは、ＥＰＳベアラの上で、パケット・データ・ネットワーク・ゲートウェイＰＤＮＧＷから、サービング・ゲートウェイＳＧＷを経由して、基地局ＢＳの媒体依存アダプタＭＤＡへと送信される。媒体依存アダプタＭＤＡは、例えば、ファイバまたは電気的接続のような異なる媒体に対する接続を可能にする。
【００４３】
制御ユニット・ボードＣＵ１は、測定、セル再選択、ハンドオーバ、ＲＲＣのセキュリティおよびインテグリティなど、レイヤ３の上の、すなわち、無線リソース制御（ＲＲＣ）レイヤの上のタスクを実行する。
【００４４】
さらに、制御ユニット・ボードＣＵ１は、運用および保守のためのタスクを実行し、またＳ１インターフェースと、Ｘ２インターフェースと、共通の公衆無線インターフェースとを制御する。
【００４５】
制御ユニット・ボードＣＵ１は、サービング・ゲートウェイＳＧＷから受信されるＩＰデータをさらなる処理のためにモデム・ユニット・ボードＭＵ１〜ＭＵ３に対して送信する。
【００４６】
３つのモデム・ユニット・ボードＭＵ１〜ＭＵ３は、レイヤ２の上で、すなわち、例えば、ヘッダの圧縮と暗号化とについての役割を担うＰＤＣＰレイヤ（ＰＤＣＰ＝パケット・データ・コンバージェンス・プロトコル（Ｐａｃｋｅｔ  Ｄａｔａ  Ｃｏｎｖｅｒｇｅｎｃｅ  Ｐｒｏｔｏｃｏｌ））の上で、例えば、セグメンテーションと、自動再送要求（ＡＲＱ：Ａｕｔｏｍａｔｉｃ  Ｒｅｐｅａｔ  Ｒｅｑｕｅｓｔ）とについての役割を担うＲＬＣレイヤ（ＲＬＣ＝無線リンク制御（Ｒａｄｉｏ  Ｌｉｎｋ  Ｃｏｎｔｒｏｌ））の上で、またＭＡＣ多重化と、ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）とについての役割を担うＭＡＣレイヤ（ＭＡＣ＝媒体アクセス制御）の上で、データ処理を実行する。
【００４７】
さらに、３つのモデム・ユニット・ボードＭＵ１〜ＭＵ３は、物理レイヤの上で、データ処理を、すなわち、符号化と、変調と、アンテナおよびリソース・ブロックのマッピングとを実行する。
【００４８】
符号化され、また変調されたデータは、アンテナと、リソース・ブロックとにマッピングされ、またそれぞれのリモート無線ヘッドＲＲＨ１、ＲＲＨ２、またはＲＲＨ３と、エア・インターフェースの上の送信のためのそれぞれのリモート無線ヘッド・アンテナＲＲＨＡ１、ＲＲＨＡ２とに対する共通の公衆無線インターフェースの上で、モデム・ユニット・ボードＭＵ１〜ＭＵ３から送信シンボルとして送信される。
【００４９】
共通の公衆無線インターフェース（ＣＰＲＩ）は、分散型アーキテクチャの使用を可能にしており、そこでは、いわゆる無線機器制御を含んでいる基地局ＢＳは、好ましくは、ＣＰＲＩデータを搬送する無損失のファイバ・リンクを経由して、リモート無線ヘッドＲＲＨ１、ＲＲＨ２、およびＲＲＨ３に接続される。例えば、増幅器のようないわゆる無線機器を含んでいるリモート無線ヘッドＲＲＨ１、ＲＲＨ２、およびＲＲＨ３だけが、環境的に厳しいロケーションに位置づけられる必要があるので、このアーキテクチャは、サービス・プロバイダのためのコストを低減させる。基地局ＢＳは、あまり厳しくないロケーションに中央集中されて位置している可能性があり、そこでは、フットプリントと、気候環境と、電力の使用可能性とは、より簡単に管理される。
【００５０】
ユーザ端末アンテナＵＥＡ１、ＵＥＡ２は、送信シンボルを受信し、また受信されたデータをモデム・ユニット・ボードＭＵ４に対して提供する。
【００５１】
モデム・ユニット・ボードＭＵ４は、物理レイヤの上でデータ処理を、すなわち、アンテナおよびリソース・ブロックの逆マッピングと、復調と、復号化とを実行する。
【００５２】
さらに、モデム・ユニット・ボードＭＵ４は、レイヤ２の上で、すなわち、ハイブリッド自動再送要求（ＨＡＲＱ）について、またＭＡＣ逆多重化についての役割を担うＭＡＣレイヤ（ＭＡＣ＝媒体アクセス制御）の上で、例えば、再アセンブリと、自動再送要求（ＡＲＱ）とについての役割を担うＲＬＣレイヤ（ＲＬＣ＝無線リンク制御）の上で、また例えば、暗号解読と、ヘッダ圧縮とについての役割を担うＰＤＣＰレイヤ（ＰＤＣＰ＝パケット・データ・コンバージェンス・プロトコル）の上で、データ処理を実行する。
【００５３】
モデム・ユニット・ボードＭＵ４の上の処理は、制御ユニット・ボードＣＵ２に対して送信されるＩＰデータをもたらし、この制御ユニット・ボードＣＵ２は、レイヤ３の上で、すなわち、無線リソース制御（ＲＲＣ）レイヤの上で、測定、セル再選択、ハンドオーバ、ＲＲＣのセキュリティおよびインテグリティなどのタスクを実行する。
【００５４】
ＩＰデータは、出力と、ユーザとの相互作用とのために、制御ユニット・ボードＣＵ２からそれぞれのインターフェースＩＮＴへと送信される。
【００５５】
アップリンクにおいては、データ送信は、アナログ的なやり方で、ユーザ端末ＵＥから外部ＩＰネットワークＩＰＮへと逆方向に実行される。
【００５６】
結局、図１に示されるような、ワイヤレス通信ネットワークにおけるオペレータの間のリソースの共有のための方法は、図３および４における最先端技術に従って、また図５における本発明の一実施形態に従って、説明される。
【００５７】
図３は、別個のスケジューラを有する２つのオペレータについての最先端のリソースの共有を概略的に示すものである。
【００５８】
図３の中央には、第１のオペレータＯＰＡのマクロ基地局ＭＡと、第２のオペレータＯＰＢのマクロ基地局ＭＢとによってサービスされるマクロ・セルＣＭＡとＣＭＢとのカバレッジ・エリアが、示される。２つのカバレッジ・エリアが、オーバーラップしている領域においては、第１のオペレータＯＰＡのスモール・セルＣＳＡのカバレッジ・エリアと、第２のオペレータＯＰＢのスモール・セルＣＳＢのカバレッジ・エリアともまた、示される。
【００５９】
図３の中の左側には、異なるチャネルが、周波数帯域ＦＡにおける第１のオペレータＯＰＡのマクロ・セルＣＭＡについて、また周波数帯域ＦＢにおける第２のオペレータＯＰＢのマクロ・セルＣＭＢについて、示される。最初に、物理ブロードキャスト・チャネルＰＢＣＨＡおよびＰＢＣＨＢの上の、例えば、それぞれのオペレータＯＰＡまたはＯＰＢのいわゆる公衆陸上モバイル・ネットワーク識別子（ＰＬＭＮ  ＩＤ）としてそれぞれのオペレータＯＰＡまたはＯＰＢの表示を含んでいる送信が、それぞれ実行される。このようにして、第１のオペレータＯＰＡのマクロ・セルＣＭＡにおいては、物理ブロードキャスト・チャネルＰＢＣＨＡの上で、オペレータＯＰＡの表示が送信され、また第２のオペレータＯＰＢのマクロ・セルＣＭＢにおいては、物理ブロードキャスト・チャネルＰＢＣＨＢの上で、オペレータＯＰＢの表示が、送信される。表示されたオペレータＯＰＡに登録されるユーザ端末だけが、マクロ・セルＣＭＡにアクセスすることが許可され、また表示されたオペレータＯＰＢに登録されるユーザ端末だけが、マクロ・セルＣＭＢにアクセスすることが許可される。次いで、周波数帯域ＦＡの上のマクロ・セルＣＭＡにおいては、物理ダウンリンク制御チャネルＰＤＣＣＨＡの上の、また物理ダウンリンク共有チャネルＰＤＳＣＨＡの上の送信が、実行され、また周波数帯域ＦＢの上のマクロ・セルＣＭＢにおいては、物理ダウンリンク制御チャネルＰＤＣＣＨＢの上の、また物理ダウンリンク共有チャネルＰＤＳＣＨＢの上の送信が、実行される。
【００６０】
図３の中の右側には、異なるチャネルが、周波数帯域ＦＡにおける第１のオペレータＯＰＡのスモール・セルＣＳＡについて、また周波数帯域ＦＢにおける第２のオペレータＯＰＢのスモール・セルＣＳＢについて、示される。最初に、物理ブロードキャスト・チャネルＰＢＣＨＡおよびＰＢＣＨＢの上の、例えば、オペレータＯＰＡおよびＯＰＢのいわゆる公衆陸上モバイル・ネットワーク識別子（ＰＬＭＮ  ＩＤ）として両方のオペレータＯＰＡおよびＯＰＢの表示を含んでいる送信が、それぞれ、各ブロードキャスト・チャネルＰＢＣＨＡおよびＰＢＣＨＢにおいて実行される。このようにして、第１のオペレータＯＰＡのスモール・セルＣＳＡにおいては、物理ブロードキャスト・チャネルＰＢＣＨＡの上で、オペレータＯＰＡとＯＰＢとの両方の表示が送信され、また第２のオペレータＯＰＢのスモール・セルＣＳＢにおいては、物理ブロードキャスト・チャネルＰＢＣＨＢの上で、オペレータＯＰＡとＯＰＢとの両方の表示もまた、送信される。
【００６１】
表示されたオペレータＯＰＡに登録されるユーザ端末と、表示されたオペレータＯＰＢに登録されるユーザ端末との両方が、スモール・セルＣＳＡと、ＣＳＢとにアクセスすることが許可される。次いで、周波数帯域ＦＡの上のスモール・セルＣＳＡにおいては、物理ダウンリンク制御チャネルＰＤＣＣＨＡの上の、また物理ダウンリンク共有チャネルＰＤＳＣＨＡの上の送信が、実行され、また周波数帯域ＦＢの上のスモール・セルＣＳＢにおいては、物理ダウンリンク制御チャネルＰＤＣＣＨＢの上の、また物理ダウンリンク共有チャネルＰＤＳＣＨＢの上の送信が、実行される。
【００６２】
しかしながら、オペレータＯＰＡのスモール・セルＣＳＡにアクセスするユーザ端末は、周波数帯域ＦＡにおける物理ダウンリンク共有チャネルＰＤＳＣＨＡに対してスケジュールされるだけの可能性があり、またオペレータＯＰＢのスモール・セルＣＳＢにアクセスするユーザ端末は、周波数帯域ＦＢにおける物理ダウンリンク共有チャネルＰＤＳＣＨＢに対してスケジュールされるだけの可能性があり、すなわち、キャリアアグリゲーションは、実行されない。
【００６３】
このシナリオにおいては、周波数帯域ＦＡとＦＢとの両方が、オペレータＯＰＡまたはオペレータＯＰＢに対する加入契約を有するユーザ端末のアクセスを可能にするので、スモール・セルＣＳＡとＣＳＢとの両方のブロードキャスト制御チャネル（ＢＣＣＨ）の内部に、２つのオペレータＩＤが、含まれるので、ある種の国内ローミングを可能にする２つのオペレータＯＰＡとＯＰＢとのスモール・セルＣＳＡとＣＳＢとの中に２つの別個のスケジューラが、存在している。この問題解決手法は、しかしながら、いわゆるリソース・プーリングが、スモール・セルＣＳＡおよびＣＳＢにおいて使用されないので、効率的な無線リソース管理に関して十分ではない。
【００６４】
図４は、１つのスケジューラと、キャリアアグリゲーションとを有する２つのオペレータＯＰＡおよびＯＰＢについての最先端のリソースの共有を概略的に示すものである。
【００６５】
図４の中央に示されるマクロ・セルＣＭＡおよびＣＭＢと、スモール・セルＣＳＡおよびＣＳＢとのカバレッジ・エリアは、図３の中央に示され、また上記で説明されるようなものである。
【００６６】
図４の中の左側の、周波数帯域ＦＡにおける第１のオペレータＯＰＡのマクロ・セルＣＭＡについて、また周波数帯域ＦＢにおける第２のオペレータＯＰＢのマクロ・セルＣＭＢについて示される異なるチャネルは、図３の中の左側に示され、また上記で説明されるようなものである。
【００６７】
図４の中の右側には、異なるチャネルが、周波数帯域ＦＡにおける第１のオペレータＯＰＡのスモール・セルＣＳＡについて、また周波数帯域ＦＢにおける第２のオペレータＯＰＢのスモール・セルＣＳＢについて、示される。最初に、第１のオペレータＯＰＡのスモール・セルＣＳＡの中の物理ブロードキャスト・チャネルＰＢＣＨＡだけの上の、例えば、オペレータＯＰＡおよびＯＰＢのいわゆる公衆陸上モバイル・ネットワーク識別子（ＰＬＭＮ  ＩＤ）としてオペレータＯＰＡとＯＰＢとの両方の表示を含んでいる送信が、実行される。このようにして、第１のオペレータＯＰＡのスモール・セルＣＳＡにおいては、物理ブロードキャスト・チャネルＰＢＣＨＡの上で、オペレータＯＰＡとＯＰＢとの両方の表示が送信され、また第２のオペレータＯＰＢのスモール・セルＣＳＢにおいては、物理ブロードキャスト・チャネルＰＢＣＨＢも、物理ダウンリンク制御チャネルＰＤＣＣＨＢもどちらも、送信のために使用可能ではない。
【００６８】
表示されたオペレータＯＰＡに登録されるユーザ端末と、表示されたオペレータＯＰＢに登録されるユーザ端末との両方が、スモール・セルＣＳＡにアクセスすることが許可される。次いで、周波数帯域ＦＡの上のスモール・セルＣＳＡにおいては、物理ダウンリンク制御チャネルＰＤＣＣＨＡの上の送信が、実行される。物理ダウンリンク制御チャネルＰＤＣＣＨＡは、周波数帯域ＦＡにおけるオペレータＯＰＡの物理ダウンリンク共有チャネルＰＤＳＣＨＡの上のリソースの割り付けのための、または周波数帯域ＦＢにおけるオペレータＯＰＢの物理ダウンリンク共有チャネルＰＤＳＣＨＢの上のリソースの割り付けのためのインジケータＣＩＦＡを含んでいる。前記インジケータＣＩＦＡは、例えば、いわゆるキャリア・インジケータ・フィールドとすることができる。表示されたオペレータＯＰＡに登録されるユーザ端末と、表示されたオペレータＯＰＢに登録されるユーザ端末との両方は、このようにして、周波数帯域ＦＡにおけるオペレータＯＰＡの物理ダウンリンク共有チャネルＰＤＳＣＨＡの上のリソースの上で、または周波数帯域ＦＢにおけるオペレータＯＰＢの物理ダウンリンク共有チャネルＰＤＳＣＨＢの上のリソースの上でスケジュールされる可能性があり、すなわち、キャリアアグリゲーションが、実行される。
【００６９】
この場合には、オペレータＯＰＡと、ＯＰＢとは、完全な無線アクセス・ネットワークを共有する。いわゆるキャリアアグリゲーションの助けを用いて、２つのキャリア、すなわち、周波数帯域ＦＡと、ＦＢとは、スモール・セルのカバレッジ・エリアの中で組み合わされて、集約された周波数リソースを使用して、オペレータＯＰＡと、ＯＰＢとの両方のユーザ端末にサービスすることができる。この目的のために、一方のキャリアだけが、いわゆる一次成分キャリア（ＰＣＣ）として割り当てられる可能性があり、また他方は、いわゆる二次成分キャリア（ＳＣＣ）として使用される可能性がある。クロス・キャリア・スケジューリングの助けを用いて、ＰＣＣの上のＢＣＣＨだけを有する共通のスケジューラは、完全なスペクトルを利用し、またオペレータＯＰＡと、ＯＰＢとの両方のユーザ端末に対してリソースを割り付ける。この問題解決手法は、リソース・プーリングが、使用されるので、効率的な無線リソース管理に関して十分であると見られる可能性がある。しかしながら、この問題解決手法は、オペレータＯＰＡと、ＯＰＢとの間の公平さを保証してはいない。オペレータＯＰＡからのキャリアが、ＰＣＣとして解釈されるものとし、またオペレータＯＰＢからのキャリアが、ＳＣＣとしての機能を果たすものとする。この場合には、オペレータＯＰＡのマクロ・セルＣＭＡのユーザ端末のスモール・セルＣＳＡに対するハンドオーバは、ブロードキャスト・チャネルと、制御チャネルとが、スモール・セルＣＳＡにおいて、オペレータＯＰＡのキャリアの上で送信されるので、周波数内ハンドオーバになるであろう。他方では、オペレータＯＰＢのマクロ・セルＣＭＢのユーザ端末のスモール・セルＣＳＢに対するハンドオーバは、ブロードキャスト・チャネルと、制御チャネルとが、オペレータＯＰＡのキャリアの上で、すなわち、周波数帯域ＦＡの上で送信されるだけであるので、周波数間ハンドオーバになるであろう。それゆえに、オペレータＯＰＢは、周波数間測定のためのそのユーザ端末を構成することにより、リソースの共有のための高いコストを負担する必要があり、すなわち、測定ギャップが、他方のオペレータＯＰＡの周波数帯域ＦＡの測定のために必要とされる。
【００７０】
図５は、本発明の一実施形態による、１つのスケジューラと、キャリアアグリゲーションと、別個のブロードキャスト・チャネルおよび制御チャネルとを有する２つのオペレータのためのリソースの共有を概略的に示すものである。
【００７１】
図５の中には、共通の周波数リソースの良好で、柔軟な使用をもたらし、また同時に両方のオペレータの間の公平さを維持する、図１の中に示されるようなワイヤレス通信ネットワークにおけるオペレータの間のリソースの共有のための方法が、示される。
【００７２】
図５の中央に示されるマクロ・セルＣＭＡおよびＣＭＢと、スモール・セルＣＳＡおよびＣＳＢとのカバレッジ・エリアは、図３の中央に示され、また上記で説明されるようなものである。
【００７３】
図５の左側の、周波数帯域ＦＡにおける第１のオペレータＯＰＡのマクロ・セルＣＭＡについて、また周波数帯域ＦＢにおける第２のオペレータＯＰＢのマクロ・セルＣＭＢについて示される異なるチャネルは、図３の左側に示され、また上記で説明されるようなものである。
【００７４】
図５の中の右側には、異なるチャネルが、周波数帯域ＦＡにおける第１のオペレータＯＰＡのスモール・セルＣＳＡについて、また周波数帯域ＦＢにおける第２のオペレータＯＰＢのスモール・セルＣＳＢについて、示される。最初に、物理ブロードキャスト・チャネルＰＢＣＨＡの上の、例えば、オペレータＯＰＡのいわゆる公衆陸上モバイル・ネットワーク識別子（ＰＬＭＮ  ＩＤ）としてオペレータＯＰＡの表示を含んでいる送信が、ブロードキャスト・チャネルＰＢＣＨＡにおいて実行され、また物理ブロードキャスト・チャネルＰＢＣＨＢの上の、例えば、オペレータＯＰＢのいわゆる公衆陸上モバイル・ネットワーク識別子（ＰＬＭＮ  ＩＤ）としてオペレータＯＰＢの表示を含んでいる送信が、ブロードキャスト・チャネルＰＢＣＨＢにおいて実行される。
【００７５】
したがって、表示されたオペレータＯＰＡに登録されるユーザ端末は、スモール・セルＣＳＡにアクセスすることが許可され、また表示されたオペレータＯＰＢに登録されるユーザ端末は、スモール・セルＣＳＢにアクセスすることが許可される。次いで、周波数帯域ＦＡの上のスモール・セルＣＳＡにおいて、物理ダウンリンク制御チャネルＰＤＣＣＨＡの上の送信が、実行される。物理ダウンリンク制御チャネルＰＤＣＣＨＡは、周波数帯域ＦＡにおけるオペレータＯＰＡの物理ダウンリンク共有チャネルＰＤＳＣＨＡの上のリソースの割り付けのための、または周波数帯域ＦＢにおけるオペレータＯＰＢの物理ダウンリンク共有チャネルＰＤＳＣＨＢの上のリソースの割り付けのためのインジケータＣＩＦＡを含んでいる。前記インジケータＣＩＦＡは、例えば、いわゆるキャリア・インジケータ・フィールドとすることができる。表示されたオペレータＯＰＡに登録されるユーザ端末は、周波数帯域ＦＡにおけるオペレータＯＰＡの物理ダウンリンク共有チャネルＰＤＳＣＨＡの上のリソースの上で、または周波数帯域ＦＢにおけるオペレータＯＰＢの物理ダウンリンク共有チャネルＰＤＳＣＨＢの上のリソースの上でスケジュールされる可能性があり、すなわち、キャリアアグリゲーションが、実行される。アナログ的なやり方で、周波数帯域ＦＢの上のスモール・セルＣＳＢにおいては、物理ダウンリンク制御チャネルＰＤＣＣＨＢの上の送信が、実行される。物理ダウンリンク制御チャネルＰＤＣＣＨＢは、周波数帯域ＦＡにおけるオペレータＯＰＡの物理ダウンリンク共有チャネルＰＤＳＣＨＡの上のリソースの割り付けのための、または周波数帯域ＦＢにおけるオペレータＯＰＢの物理ダウンリンク共有チャネルＰＤＳＣＨＢの上のリソースの割り付けのためのインジケータＣＩＦＢを含んでいる。前記インジケータＣＩＦＢは、例えば、いわゆるキャリア・インジケータ・フィールドとすることができる。表示されたオペレータＯＰＢに登録されるユーザ端末は、周波数帯域ＦＡにおけるオペレータＯＰＡの物理ダウンリンク共有チャネルＰＤＳＣＨＡの上のリソースの上で、または周波数帯域ＦＢにおけるオペレータＯＰＢの物理ダウンリンク共有チャネルＰＤＳＣＨＢの上のリソースの上でスケジュールされる可能性があり、すなわち、キャリアアグリゲーションが、実行される。
【００７６】
本発明の好ましい一実施形態においては、２つの異なるＩＤを有する共通のハードウェアと、２つのオペレータＯＰＡおよびＯＰＢのための２つのＢＣＣＨとを使用した、スモール・セルのカバレッジ・エリアにおける各オペレータＯＰＡと、ＯＰＢとについて１つの、２つのＰＣＣを有することが、提案される。図５に示され、また上記で説明されるようなキャリアアグリゲーションと、クロス・キャリア・スケジューリングとを使用して、共通のスモール・セル・スケジューラは、オペレータＯＰＡと、ＯＰＢとの両方のユーザ端末にサービスするであろう。
【００７７】
マクロ・セルＣＭＢによってサービスされる、オペレータＯＰＢのユーザ端末が、スモール・セルＣＳＢに向かって移動する場合、そのユーザ端末は、周波数帯域ＦＢにおけるＰＣＣについての周波数内測定を実行することができ、このＰＣＣは、マクロ・セルＣＭＢにおけるオペレータＯＰＢのキャリアと同じである。ひとたびオペレータＯＰＢの前記ユーザ端末が、スモール・セルＣＳＢに関連づけられた後に、すべてのその信号は、周波数帯域ＦＢの中のＰＣＣの上で搬送される可能性がある。しかしながら、ユーザ・データは、キャリアアグリゲーション機能を使用して完全なスペクトルの上で、すなわち、周波数帯域ＦＡおよびＦＢの上で、スケジュールされる可能性がある。アナログ・ハンドオーバ・プロシージャは、スモール・セルＣＳＡに向かって移動する、マクロ・セルＣＭＡによってサービスされるオペレータＯＰＡのユーザ端末の場合に可能性がある。
【００７８】
本発明の一実施形態による上記で説明された方法を用いて、スモール・セルＣＳＡおよびＣＳＢは、各オペレータについての各キャリアの上のＰＣＣに起因して、オペレータＯＰＡまたはＯＰＢからマクロ基地局ＣＭＡまたはＣＭＢによってサービスされるユーザ端末が、周波数内測定と、ハンドオーバとを簡単に実行することになり、ブロードキャスト・チャネルと、制御チャネルとが、それぞれのスモール・セルＣＳＡおよびＣＳＢにおけるそれぞれのオペレータＯＰＡおよびＯＰＢのキャリアの上で送信されるので、リソース・プーリングを、すなわち、より広いスペクトル利得を利用し、また同時に、オペレータＯＰＡと、ＯＰＢとの両方の間の公平さを維持する。このようにして、両方のオペレータは、より広いスペクトルから恩恵を受けることになり、また両方のオペレータは、ＲＲＣレイヤの上の低減された再構成から恩恵を受けることになる。
【００７９】
上記で説明され、また図５に示される実施形態においては、対応する処理ステップは、例えば、図１、２および５に示され、また上記で説明されるような、スモール・セルＣＳＡおよびＣＳＢのピコ基地局のモデム・ユニット・ボードＭＵ１〜ＭＵ３と、制御ユニット・ボードＣＵ１との中で、またユーザ端末ＵＥ＿Ａ＿ＭＡ、ＵＥ＿Ｂ＿ＭＢ、ＵＥ＿Ａ＿ＳおよびＵＥ＿Ｂ＿Ｓのモデム・ユニット・ボードＭＵ４と、制御ユニット・ボードＣＵ２との中で、実行される可能性がある。
【００８０】
スモール・セルＣＳＡおよびＣＳＢの中のリソースの共有についての、図５に示される本発明の実施形態の比較のテーブル形式の分析と、図３および４に示される最先端の問題解決手法とが、以下の表に要約されている。
【００８１】
【表１】
0006273351.tif 000002
【００８２】
・  図３における最先端の問題解決手法と、図５における本発明の実施形態とは、両方ともに、スモール・セルＣＳＡおよびＣＳＢについてのそれぞれ２つのセルＩＤと、ＢＣＣＨとを有するのに対して、図４における最先端の問題解決手法は、スモール・セルＣＳＡおよびＣＳＢについてのただ１つのセルＩＤと、ＢＣＣＨとを有する。
【００８３】
・  図３および４における最先端の問題解決手法は、例えば、すべてのユーザ端末が、同じ周波数帯域についての同じハンドオーバ測定を実行する必要があるので、オペレータ特有のユーザ端末処理を提供してはいない。しかしながら、図５における本発明の実施形態は、例えば、オペレータＯＰＡのユーザ端末が、周波数帯域ＦＡにおいてハンドオーバ測定を実行するのに対して、オペレータＯＰＢのユーザ端末が、周波数帯域ＦＢにおいて、ハンドオーバ測定を実行するので、オペレータ特有のユーザ端末処理を提供する。
【００８４】
・  図３および４における最先端の問題解決手法は、スモール・セルＣＳＡおよびＣＳＢにおいてＢＣＣＨ当たりに２つのオペレータＩＤを信号で伝えるのに対して、図５における本発明の実施形態は、スモール・セルＣＳＡおよびＣＳＢにおいてＢＣＣＨ当たりにただ１つのオペレータＩＤを信号で伝える。
【００８５】
・  図３および４における最先端の問題解決手法においては、１つのオペレータからの少なくともユーザ端末が、他のオペレータの周波数帯域において測定を実行する必要があるので、周波数間ハンドオーバ測定についての必要が存在している。しかしながら、図５における本発明の実施形態においては、周波数内ハンドオーバ測定だけが、実行される必要があり、すなわち、ユーザ端末は、それら自体のオペレータの周波数帯域において測定を実行するだけであり、これは、もちろん、よりリソース効率が高い。
【００８６】
・  図３における最先端の問題解決手法においては、また図５における本発明の実施形態においては、測定と、モビリティとについてのオペレータ特有の設定は、例えば、ユーザ端末のハンドオーバ測定およびハンドオーバが、それら自体のオペレータの周波数帯域と、セルとに制限される可能性があるので、保持される可能性がある。しかしながら、図４における最先端の問題解決手法においては、１つのオペレータの少なくともユーザ端末は、別のオペレータの周波数帯域におけるハンドオーバ測定を実行する必要があり、またそれゆえに、測定とモビリティとについてのオペレータ特有の設定は、保持されない可能性がある。
【００８７】
・  図３における最先端の問題解決手法においては、プーリング利得は、周波数帯域ＦＡおよびＦＢのキャリアアグリゲーションが、ユーザ端末をスケジュールするために実行されないので、達成されないのに対して、図４における最先端の問題解決手法においては、また図５における本発明の実施形態においては、周波数帯域ＦＡおよびＦＢのキャリアアグリゲーションが、実行され、またそれゆえに、プーリング利得が、達成される。
【００８８】
・  図３における最先端の問題解決手法においては、スモール・セルＣＳＡおよびＣＳＢのおのおのについての別個のスケジューラが、使用されるのに対して、図４における最先端の問題解決手法においては、また図５における本発明の実施形態においては、両方のスモール・セルＣＳＡおよびＣＳＢについての共通のスケジューラが、使用される可能性がある。
【００８９】
・  図３および４における両方の最先端の問題解決手法においては、また図５における本発明の実施形態においては、例えば、ただ１つのＬＴＥピコ基地局のようなただ１つのハードウェア・ボックスは、スモール・セルＣＳＡと、ＣＳＢとの両方の機能を実施するために使用される可能性がある。
【図１】
0006273351.tif 000003
【図２】
0006273351.tif 000004
【図３】
0006273351.tif 000005
【図４】
0006273351.tif 000006
【図５】
0006273351.tif 000007